(57)【要約】【課題】  浸透性パネルを用いた鉄筋コンクリート建築物の躯体壁を効率よく構築できるものとし、またユニット化した壁型枠構造によって現場作業を少なくする。【解決手段】  鉄筋コンクリート建築物の躯体壁Ｗを構築するユニット化された壁型枠構造Ｐとする。この壁型枠構造Ｐは、躯体壁Ｗの内外面に立脚状で位置する内外の支保材２，３相互をラチス材４によって連結すると共に、内支保材２の前面は少なくとも鋼製の浸透性パネル１０をが取り付ける取付面となっていて、躯体壁Ｗの壁面方向で所定間隔毎に立脚状に配置する支柱材１と、躯体壁Ｗの外側面となるよう、所定間隔毎に配置してある複数の支柱材１の外支保材３夫々に連結してある外壁パネル５とを備えている。【選択図】      図１
2005290711.tif 000002
【特許請求の範囲】
【請求項１】
鉄筋コンクリート建築物の壁型枠構造であって、躯体壁の内外面に立脚状で位置する内外の支保材相互をラチス材によって連結すると共に、内支保材の前面は少なくとも鋼製の浸透性パネルが取り付けられる取付面となっていて、躯体壁の壁面方向で所定間隔毎に立脚状に配置される支柱材と、この複数の支柱材夫々を所定間隔毎に配置した状態で支柱材自体の外支保材によって連結していて、躯体壁の外側面となる外壁パネルとを備えていることを特徴とする鉄筋コンクリート建築物の壁型枠構造。
【請求項２】
内支保材は断面でほぼＬ字状に形成された鋼材であり、外支保材は鉄筋材である請求項１に記載の鉄筋コンクリート建築物の壁型枠構造。
【請求項３】
外支保材は断面でほぼＬ字状に形成された鋼材である請求項１に記載の鉄筋コンクリート建築物の壁型枠構造。
【請求項４】
外壁パネルは、所定間隔毎に配置された支柱材の外支保材が埋設されるコンクリート材製である請求項１乃至３のいずれかに記載の鉄筋コンクリート建築物の壁型枠構造。
【請求項５】
外壁パネルは、外側面に断熱材が配装されて、外支保材に締結される壁材である請求項１乃至３のいずれかに記載の鉄筋コンクリート建築物の壁型枠構造。
【請求項６】
浸透性パネルは、メッシュ状で、適当間隔毎に山形状の補強部が形成されている請求項１乃至５のいずれかに記載の鉄筋コンクリート建築物の壁型枠構造。
【請求項７】
浸透性パネルは、プレート状で、切り起こし状で折曲された縁部を周縁に備えた多数の透水孔が開穿されている請求項１乃至５のいずれかに記載の鉄筋コンクリート建築物の壁型枠構造。
【請求項８】
外壁パネルは、構築現場で相互に隣接配置されたときの相互間に介在配置される接続板を連結する連結部を備えている請求項１乃至７のいずれかに記載の鉄筋コンクリート建築物の壁型枠構造。
【発明の詳細な説明】
【技術分野】
【０００１】
本発明は、工場サイドで予め構成された壁型枠構造体を使用して鉄筋コンクリート建築物を構築するようにしたもので、壁型枠そのものが打設されるコンクリート材と一体化されることで型枠材自体の解体、廃棄等が不要となるようにした鉄筋コンクリート建築物の壁型枠構造に関するものである。
【背景技術】
【０００２】
従来、この種の鉄筋コンクリート建築物の躯体壁は、相互に対峙状にして構枠された型枠相互間に補強用の鉄筋を配筋し、この鉄筋の周りの型枠相互間にコンクリート材を打設し、その適当期間の養生後に、型枠を脱型することで構成されている。すなわち、従来の鉄筋コンクリート建築物の躯体壁は、先ず、丸鋼等からなる棒鋼が鉄筋として鉄筋コンクリート建築物の所定の剪断力に耐えるように配筋され、次いで、その配筋された鉄筋を中間にした左右の両側に所定の間隔、つまり躯体壁の厚さに相当する間隔を保って型枠が配置されて固定保持され、これら型枠内にコンクリート材が打設（充填）される。そして、その打設されたコンクリート材の養生凝固後に型枠が外されて鉄筋コンクリート建築物の躯体壁が構築完成される。
【０００３】
ところで、このような型枠を用いる鉄筋コンクリート建築物の躯体壁の構築に際し、型枠としては木製の型枠が多く用いられているのが現状であり、この木製の型枠は、貴重な木材資源を用いなければならないという資源上の問題点を有している。この資源上の問題点を解決するために、型枠を繰り返して使用することが望まれるが、型枠の繰り返し使用には、型枠の表面が平滑になるように手入れをしなければならないから、繰り返し使用が敬遠されがちであると共に、繰り返し使用が行われたとしても、鋼製の型枠に比べて寿命が短く、したがって産業廃棄物となりやすいなどの環境上の問題点も有していた。
【０００４】
木製の型枠における上述のような問題点を解決し、型枠を用いたときの工程上の煩雑さを解消するために、メッシュパネルを用いた鉄筋コンクリート建築物の躯体壁が例えば本発明者による基礎構築施工方法として提案されている（特許文献１参照）。すなわち、従来の木製、鋼製等の型枠を用いたときは、その型枠の組み立て取付工事、その取付けられた型枠がコンクリートの打設時の力に十分に耐えるようにするためのパイプ材を用いた補強工事、そして、打設されたコンクリート材の養生後のパイプ材及び型枠の解体工事、更にはその解体されたパイプ材及び型枠の片付け処理などの煩雑さを有していたのに対し、このような煩雑さを解消できるようにした、木製型枠を使用しないメッシュパネルを用いた鉄筋コンクリート建築物の躯体壁の構築方法、特に地下構築物の躯体壁とすることの施工方法等を提案しているのである。
【０００５】
このメッシュパネルを用いた鉄筋コンクリート建築物の躯体壁の横断面形状は、配筋された鉄筋を中間にした左右の両側に所定の間隔、つまり躯体壁の厚さに相当する所定の間隔を保ってメッシュパネルが配置され、これらメッシュパネル相互の間隙内にコンクリート材が打設（充填）されることで構築されるのである。このためのメッシュパネル自体は、多数の小さい孔状の網目が開いている鋼板からなり、打設されたコンクリート材が構枠されたパネルの小孔から流出されることなく、その水分のみが排水されることでパネル自体と一体化されるものとしたのであり、コンクリート材の養生後もパネル自体は取り外されることなく躯体壁と一体化され、躯体壁の内外壁部となるのである。
【特許文献１】特開２００２−２６６３５４号公報
【発明の開示】
【発明が解決しようとする課題】
【０００６】
上述のメッシュパネルを用いた鉄筋コンクリート建築物の躯体壁は、木製・鋼製等の解体される型枠を使用しないので、資源上の問題点がなく、しかも、工程上の煩雑さをも解消したものであるが、現場における組み立て、その壁面の仕上げその他の諸工程を一層省力化することのできる鉄筋コンクリート建築物の壁型枠構造の出現が待たれていた。
【０００７】
そこで、本発明は、上記要望に応えるために成されたものであって、その目的は、躯体壁の外部壁面ではＰＣ板の如きコンクリート板あるいは外断熱パネル板によるそのままの躯体壁面とでき、躯体壁の内部壁面では浸透性パネル面に対する仕上げ処理のみで済むようにして一層の簡略化を図るもので、構築現場においてはユニット化した壁型枠構造を搬入し、組立連結し、その後のコンクリート材の打設、養生処理等で構築できるようにすると共に、一般的なビルにおける躯体壁、地下構築物における躯体壁を問わずに構築でき、しかも複数階構造の鉄筋コンクリート建築物でも容易に構築できるようにした鉄筋コンクリート建築物の壁型枠構造を提供することにある。
【課題を解決するための手段】
【０００８】
上記目的を達成するために、本発明にあっては、鉄筋コンクリート建築物の壁型枠構造Ｐであって、躯体壁Ｗの内外面に立脚状で位置する内外の支保材２，３相互をラチス材４によって連結すると共に、内支保材２の前面は少なくとも鋼製の浸透性パネル１０，１５が取り付けられる取付面となっていて、躯体壁Ｗの壁面方向で所定間隔毎に立脚状に配置される支柱材１と、この複数の支柱材１夫々を所定間隔毎に配置した状態で支柱材１自体の外支保材３によって連結していて、躯体壁Ｗの外側面となる外壁パネル５，７とを備えているものである。
また、内支保材２は断面でほぼＬ字状に形成された鋼材であり、外支保材３は鉄筋材であるものとでき、また、外支保材３は断面でほぼＬ字状に形成された鋼材であるものとすることができる。
一例の外壁パネル５は、所定間隔毎に配置された支柱材１の外支保材３が埋設されるコンクリート材製であり、他例の外壁パネル７は、外側面に断熱材７Ｂが配装されて、外支保材３に締結される壁材７Ａであるものとすることができる。
一つの浸透性パネル１０はメッシュ状で、適当間隔毎に山形状の補強部１１が形成されているものとすることができ、他の一つの浸透性パネル１５はプレート状で、切り起こし状で折曲された縁部を周縁に備えた多数の透水孔１６が開穿されているものとすることができる。
また外壁パネル５は、構築現場で相互に隣接配置されたときの相互間に介在配置される接続板２０を連結する連結部６を備えていることができる。
【０００９】
以上のように構成された本発明に係る鉄筋コンクリート建築物の壁型枠構造Ｐにあっては、外壁パネル５，７における躯体壁Ｗの内方側に所定間隔毎に複数の支柱材１を配列形成することでユニット化してあり、これを構築現場に搬入し連結組立て、支柱材１に浸透性パネル１０，１５を固着することで、この浸透性パネル１０，１５と外壁パネル５，７との間でコンクリート材を打設する充填空間を形成させ、ここにコンクリート材を打設し、適当期間の養生、凝固後ではそのままで躯体壁Ｗとさせるのである
構築された躯体壁Ｗは、これの内部でラチス材４によるトラス構造の支柱材１が、その内支保材２で浸透性パネル１０，１５を、外支保材３で外壁パネル５，７を夫々連結する柱構造体となっていて、躯体壁Ｗの芯材として機能し、またコンクリート材の打設時における外壁パネル５，７、浸透性パネル１０，１５相互の離反を阻止させて保形性を維持し、またそのまま埋設されて外壁パネル５，７、浸透性パネル１０，１５等と共に躯体壁Ｗを構成させる。
メッシュ状、透水孔１６が開穿されたプレート状の浸透性パネル１０，１５は、充填注入されるコンクリート材の打設状況、養生、凝固過程を直接に確認させ、またコンクリート材中の水分を効率的に発散させて強固な躯体壁Ｗを構成させる。
外壁パネル５，７の適宜な選択は外断熱構造体をも構築させ、浸透性パネル１０，１５の選定は構築現場での多様な工法の採用を可能にさせる。
【発明の効果】
【００１０】
本発明に係る鉄筋コンクリート建築物の壁型枠構造Ｐによれば、躯体壁Ｗ内に配置される支柱材１の内外で外面側では支柱材１に一体の外壁パネル５，７が、内面側では支柱材１に固着される浸透性パネル１０，１５が夫々配装されることでコンクリート材の充填空間が形成されるから、ここにコンクリート材を注入打設するだけで、所定の躯体壁Ｗを短時間、ローコストで構築することができる。そして、従来の木製、鋼製等の型枠を一切使用しないからこれらの型枠に起因する不都合、すなわち型枠が木製の場合に貴重な木材資源を用いなければならないという資源上の問題、廃棄されたときの環境上の問題を生じることがない。しかも、従来の型枠を一切使用しないから型枠に起因する工程上の不都合、すなわち型枠を用いたときの現場での型枠の組み立て取付け工事、その取付けられた型枠がコンクリート材の打設時の打設圧力等に十分に耐えるためのパイプ材を用いた補強工事、打設されたコンクリート材の養生後のパイプ材及び型枠の解体工事、解体されたパイプ材及び型枠の片付け処理などを必要としないのである。
【００１１】
すなわちこれは本発明において、内外の支保材２，３相互をラチス材４によって連結し、内支保材２に鋼製の浸透性パネル１０，１５が取り付けられるようにして躯体壁Ｗの壁面方向で所定間隔毎に立脚状に配置される支柱材１と、この複数の支柱材１夫々を所定間隔毎に配置した状態で外支保材３によって連結していて、躯体壁Ｗの外側面となる外壁パネル５，７とを備え、これらの支柱材１、外壁パネル５，７を一体ユニット化しているからであり、これによって、従来のような型枠材を不要とし、しかも堅牢な躯体壁Ｗを構築できるばかりでなく、工期の短縮化、ローコスト化を実現するのである。
【００１２】
特に内外に配置した支保材２，３相互をラチス材４によって連結することでトラス構造となる支柱材１を躯体壁Ｗの内部に配置するから、これの内外に配置される外壁パネル５，７、浸透性パネル１０，１５相互を強固に連結する芯材として機能し、従来であれば必要とされたコンクリート材の打設時における型枠補強用の単管部材等の補強材が不要となり、構築後ではそのまま埋設された柱構造となって躯体壁Ｗの堅牢性を維持させるのである。
【００１３】
構築現場に搬入後で支柱材１の内側に浸透性パネル１０，１５を固着するから、外壁パネル５，７との間に形成された充填空間内にコンクリート材を打設したとき、その充填打設状況を直接に視認によって確認できるばかりでなく、養生中ではコンクリート材に含まれる水分を効率的に発散させ、その養生期間を短縮化し、また堅牢な状態で凝固させることができる。
【００１４】
そればかりでなく、外壁パネル７において、断熱材７Ｂが配装された壁材７Ａとすることで外断熱構造体を構成でき、断熱効果に優れた建築物とすることができる等の建築物を構築するときの選択余地を拡大させることも可能である。
【００１５】
また、外壁パネル５，７がそのまま躯体壁Ｗの外壁側面となるので工期の短縮が可能となり、しかも、外壁面の仕上げ等のための外部の作業スペースを必要としないから、例えば地下室等を構築するときの躯体壁Ｗとする場合に地面の掘削範囲が最小の大きさで足り、現場作業を一層省力化することができる。また例えば複数層階の建築物の構築に際し、外壁パネル５，７が１階分の高さに対応していることで階毎に床構築用のコンクリート材を同時に打設充填することでこれらを一体的に構築でき、階層毎の壁・天井・床等の躯体工事を迅速に遂行させることができる。
【００１６】
更に、ユニット化された壁型枠構造Ｐにおいて、隣り合う外壁パネル５の水平方向に所定の間隔が保持されるも、その間隔内には接続板２０が介在されるので、鉄筋コンクリート建築物の躯体壁Ｗ全体を連続したものとでき、しかも隣り合う壁型枠構造Ｐにおいての各種鉄筋材同士は接続鉄筋材９Ｃによって一体連結されるから、コンクリート材を打設する連続した充填空間が堅牢に形成され、連続される浸透性パネル１０，１５と共に躯体壁Ｗが簡単かつ効率よく連続形成されるのである。
【００１７】
また接続板２０は、外壁パネル５の両側縁に設けられた溝状の連結部６に挿入されることで、隣り合う外壁パネル５相互間に配装されるから、隣り合うユニット化された壁型枠構造Ｐ相互間の空隙を閉塞する接続板２０の取付けを容易に行うことができ、現場作業を効率よく迅速に行うことができ、しかもこの接続板２０自体が外部壁表面となり、建築物表面のアクセントともなるのである。
【００１８】
また、本発明に係る鉄筋コンクリート建築物の壁型枠構造Ｐの製造に際し、支柱材１の構成工程、外壁パネル５，７との一体化工程によって所定のユニット化された壁型枠構造Ｐを簡単に構成でき、また構築現場への搬入、連結組み立て、その後のコンクリート材の打設充填作業等をも迅速に行わせるのである。
【００１９】
また、こうした壁型枠構造を利用して躯体壁Ｗを構築するとき、ユニット化された壁型枠構造Ｐの構築現場への搬入、連続設置による場合のみならず、必要があれば構築現場で各部材を組み立て設置することも可能であり、いずれをも採用可能である。現場作業での構築では、配筋工程、外壁パネル取付工程、浸透性パネル取付工程、接続工程、打設工程、養生工程等によって躯体壁Ｗを従来とは異なり、型枠の脱型、その廃棄等の処分を必要とせずに構築することができる。
【００２０】
なお、上記課題を解決するための手段の項及び発明の効果の項のそれぞれにおいて付記した符号は、図面中に記載した構成各部を示す部分との参照を容易にするために付したもので、図面中の符号によって示された構造・形状に本発明が限定されるものではない。
【発明を実施するための最良の形態】
【００２１】
以下、本発明を実施するための最良の形態を図面に基づいて説明するに、図において示される符号Ｐは鉄筋コンクリート建築物の躯体壁Ｗを構成すべく構築現場に搬入されるユニット化された本発明に係る壁型枠構造のものであり、この壁型枠構造Ｐは支柱材１、外壁パネル５，７を一体化することで構成されている。
【００２２】
支柱材１自体は、躯体壁Ｗ内に立脚状に設置されるほぼトラス構造を呈するものとして、躯体壁Ｗの構築方向に沿って所定間隔毎に配置されるようにしてある。また、この支柱材１自体は所定間隔毎に配置された状態の複数にして外壁パネル５に一体的に連結されることで、構築現場に搬入できるように構成される。
【００２３】
支柱材１は図示のように、躯体壁Ｗの内外面に立脚状で位置する内外の支保材２，３相互をラチス材４によって連結すると共に、内支保材２の前面は少なくとも後述する鋼製の浸透性パネル１０，１５が取り付けられる取付面となっていて、躯体壁Ｗの構築方向である壁面方向で所定間隔毎に立脚状に配置されるものとして構成されている。すなわち内外の支保材２，３相互をラチス材４によって連結することで、鉛直方向に沿うトラス構造となるのであり、図示にあってのラチス材４は、水平面に沿う水平部分と傾斜した傾斜部分とを交互に配置することで１本状の所定径の鉄筋材にて折曲連続したものとして、内外の支保材２，３相互間でこれらに溶接等によって連結することで配置形成されている。なお、このラチス材４自体は傾斜部分のみとしたり、１本状に連続させずに個々に分離されたものとしたり、場合によって帯板材によって形成したり等が可能である。
【００２４】
また、このラチス材４には、躯体壁Ｗ内における補強のための鉄筋材が水平、鉛直方向で交差状にして連結固定されるのであり、所定間隔毎に配される支柱材１におけるラチス材４相互間に架装されるよう水平方向に配筋される水平筋材９Ａ、この水平筋材９Ａに固定されて鉛直方向に配筋される鉛直筋材９Ｂ等が設けられ、構築現場ではこれらが壁面方向では水平筋材９Ａ相互が、鉛直方向では鉛直筋材９Ｂ相互が接続筋材９Ｃ等によって縛結されることで連結されるようにしてある。
【００２５】
躯体壁Ｗの外側に配置される外支保材３は、外壁パネル５と一体状に連結されるのであり、図１乃至図４にあっては外壁パネル５としてコンクリート材製のいわゆるＰＣ（Ｐｒｅｃａｓｔ  Ｃｏｎｃｒｅｔｅ）板とするとき、これの成型時に埋設状にすることで外壁パネル５と一体化されるものとしてある。このときの外支保材３は、所定径の鉄筋材とすることができるも、必要があれば適宜断面例えばほぼＬ字状の鋼材によって形成することも可能である。また、外支保材３が外壁パネル５内に埋設状にされることでこれと一体化されるとき、ラチス材４における外支保材３との連結部位は外支保材３に絡めるようにすることもできる。
【００２６】
躯体壁Ｗの内側に配置される内支保材２は、構築現場に搬入されて躯体壁Ｗが構成されるときに浸透性パネル１０，１５が連結固定されるように、その前面が取付面となっているのである。そのため、この内支保材２自体は断面でほぼＬ字状に形成されているいわゆるアングル鋼材によって形成されており、その片面に浸透性パネル１０，１５が当接されて例えばタッピングネジの如き締結部材１２あるいは適当なクリップ部材、溶接等によって固着されるようになっている。なお、浸透性パネル１０，１５の内支保材２に対する固着形態はこれらに限定されるものでないことは勿論である。
【００２７】
また、支柱材１自体の躯体壁Ｗの内外に沿う幅員は、この支柱材１自体が躯体壁Ｗ内部に埋め込まれることを考慮して、構築現場で外壁パネル５と浸透性パネル１０，１５との間の充填空間部にコンクリート材が打設されることで外壁パネル５（７）を含んだ状態で構成される躯体壁Ｗの壁厚さに対応するようになっている。また、外壁パネル５（７）自体は打設されるコンクリート材の打設圧力に十分に耐える肉厚、強度を備え、またそのまま躯体壁Ｗの外壁面となるように化粧処理が施されていることもある。
【００２８】
このように外壁パネル５における躯体壁Ｗの内方側に所定間隔毎に支柱材１を一体化した状態では、図１に示すように例えば外壁パネル５の内側面側に支柱材１がいわば剥き出し状に配列されたものとなっており、この形態となるように例えば工場サイドで構成され、構築現場に搬入されるものである。また外壁パネル５自体は例えば幅員が１３６０ｍｍ、高さが３０００ｍｍ程度の大きさとされ、支柱材１は６００ｍｍ間隔で３体にして配列されている。
【００２９】
また、外壁パネル５には、構築現場で構築方向に複数の壁型枠構造Ｐを隣接させて連続配置したときの外壁パネル５相互間を接続し、コンクリート材の打設空間を閉塞するための接続板２０を介在連結させる連結部６が形成されている。この連結部６は図１に示すように、外壁パネル５の本体部分の鉛直方向の両側縁に接続板２０の両側縁が挿入される溝状の連結溝を形成したもので、例えば建築物の外側面側に位置する外壁パネル５の本体部分の縁部に形成されている。そのため例えば断面でコ字状の連結溝片とこの連結溝片のいずれか一方の開口縁から延設された取付片とから断面で角形のほぼフック形状を呈する帯尺金属板を使用し、外壁パネル５の構成時に支柱材１における外支保材３がコンクリート材と共に埋め込み状に一体化されるときに、帯尺金属板を辺縁に位置させて外壁パネル５の本体部分に接合させることで一体化されることで形成されるものとなっている。
【００３０】
一方、図５及び図６において示される外壁パネル７は、外断熱構造タイプとして構成されたもので、外側面に断熱材７Ｂが配装された壁材７Ａのものである。この外壁パネル７は図示のように、この外壁パネル７自体を、支柱材１においての断面でほぼＬ字状に形成された鋼材である外支保材３に当接させると共に、外壁パネル７の外側面側から貫挿したタッピングネジの如き締結部材８を外支保材３にネジ込むことで支柱材１に固着するようにしたものである。なお、この外壁パネル７においては、構築現場において躯体壁Ｗの構築方向に沿って直接に両側縁が当接されることで隣接配置されるものとしてあり、更に必要があれば内部に打設凝固されるコンクリート材に固着させるアンカーボルト８Ａも使用される。
【００３１】
また、構築現場において躯体壁Ｗの内側面に位置するよう支柱材１の内支保材２に固定されることで外壁パネル５，７と共にコンクリート材の充填空間を形成する浸透性パネル１０，１５について説明する。図１乃至図４にあっての浸透性パネル１０はメッシュ状で、適当間隔毎に山形状の補強部１１が形成されているもので、いわゆるメッシュパネルと称される。このメッシュタイプの浸透性パネル１０にあっては、その１枚が正面から見て例えば幅員が２０００ｍｍ、高さが１０００ｍｍ程度の大きさに形成されており、図１に示すように構築現場において左右縁部、上下縁部夫々を重ね合わせながらも隣接させて配装し、補強部１１における平坦部分等で貫挿させた締結部材１２を内支保材２にネジ込むことで浸透性パネル１０を支柱材１に固着し、コンクリート材の充填空間を形成する。
【００３２】
図５乃至図７にあっての浸透性パネル１５はプレート状で、躯体壁Ｗの外面側に向けて切り起こし状で折曲された縁部を周縁に備えた多数の透水孔１６が開穿されているもので、いわゆるパンチングパネル、パンチングボード等と称される。このプレートタイプの浸透性パネル１５にあっては、その１枚が正面から見て例えば幅員が１８２０ｍｍ、高さが９１０ｍｍ程度の大きさに形成されていると共に、切り起こし状で折曲された縁部を周縁に備えた多数の透水孔１６が開穿されているものである。この透水孔１６は正面から見て例えば横長の長円形にして水平方向、鉛直方向に多数にして開口することで形成され、同一大きさあるい異なる大きさで開口配列される。
【００３３】
これらの浸透性パネル１０においての網目大きさ、浸透性パネル１５においての透水孔１６大きさ夫々は、外壁パネル５，７との間で形成される充填空間に打設されるコンクリート材の水分を排水除去させるも、骨材その他を流出させるものではなく、外部空間に晒されることでコンクリート材の乾燥を早めて養生、凝固を円滑にするものである。
【００３４】
次にこれの使用の一例を説明するに、工場サイドにおいて、コンクリート材製の外壁パネル５とするときにはその成型時に支柱材１における鉄筋材製、鋼材製等の外支保材３部分を埋設するようにして構成するのであり、外断熱構造の外壁パネル７とするときには支柱材１における鋼材製の外支保材３に締結部材８によって外壁パネル７を固着して構成することで単体毎にユニット化されたものとされる。なお、これらの製作に際し、支柱材１におけるラチス材４に関連して水平筋材９Ａ、鉛直筋材９Ｂ夫々も配筋固着され、水平筋材９Ａはその端部が壁面方向に沿う両端が隣接する他の水平筋材９Ａに近接して接続筋材９Ｃにて縛結されるようにしておく。
【００３５】
また、このようにして工場サイドにて製作される壁型枠構造Ｐのものは、構築現場で同一階における壁面方向、上下階における鉛直方向での相互の強固な連結が得られるように、例えば支柱材１の上下端、両側縁に位置する支柱材１の左右部分あるいは壁型枠構造Ｐ自身の左右部分等に断面で例えばほぼＬ字状の鋼材製の型枠接続部材３０を配装しておくものである。なお、これらの型枠接続部材３０相互は例えば当接状に突き合わせられてボルト、ナット等によって締結されると共に、この型枠接続部材３０に開穿した連結孔等を利用して固定用レバーチェーンが連結されて構築現場での立脚形態を維持できるようにしてある。
【００３６】
構築現場では、支柱材１と外壁パネル５，７とが一体化されたユニット形態で搬入され、基礎Ｂ上であるいは階毎で水平の壁面方向に沿って隣接配置すると共に、水平筋材９Ａ相互を接続筋材９Ｃ等にて縛結して連結する。このとき外壁パネル５にあっては、その隣接対向する連結部６相互間に接続板２０を挿入して（図１、図３参照）、外壁パネル５相互の間隙を閉塞しておく。次いで支柱材１においての躯体壁Ｗの内側面に位置する内支保材２面に浸透性パネル１０，１５を固着するのであり、メッシュタイプの浸透性パネル１０ではその補強部１１位置で締結部材１２によってネジ止めすることで、プレート状の浸透性パネル１５ではその透水孔１６における切り起こし状で折曲された縁部を躯体壁Ｗの例えば外面側に向けて配置して同様にネジ止めすることで固定する。
【００３７】
このようにして構築現場で組み立てられた後、外壁パネル５，７と浸透性パネル１０，１５との間で、ラチス材４、水平筋材９Ａ、鉛直筋材９Ｂ等が配筋されていることで形成される充填空間にコンクリート材を注入打設する。この注入打設に際し、その充填打設状況は浸透性パネル１０，１５によって躯体壁Ｗの内側で作業者によって直接に確認でき、適当期間の養生凝固ではそのままで躯体壁Ｗとし、適当な化粧処理を施すのである。
【００３８】
なお、コンクリート材の打設に際し、床部分と壁部分とを同時に充填形成することもでき、階毎の構築に際し、また上階の構築では型枠接続部材３０同士の締結によって順次に鉛直方向で連結し、同様に構成すればよいのである。
【００３９】
本発明によって得られる躯体壁Ｗは、ユニット化した壁型枠構造Ｐを構築現場に搬入し、構築現場で連結して組み立て、その後にコンクリート材５０の打設、養生処理等で構築できるのであり、一般的なビルにおける地上の躯体壁Ｗ、地下構築物における地下の躯体壁Ｗを問わずに構成でき、しかも躯体壁Ｗの構築と床部の構築をも同時に可能とするのである。更に外壁パネル５，７更に接続板２０がそのまま外壁面となるので工期の短縮が可能となり、また、外壁面の仕上げ等のための作業スペースを必要としないから、特に地下室を構築する際の掘削範囲が最小の大きさで足り、現場作業を一層省力化することができるのである。
【図面の簡単な説明】
【００４０】
【図１】本発明の最良の実施の形態を示す構築使用時の躯体壁を内側から見たときの要部の斜視図である。
【図２】同じく隣接した壁型枠構造の接続配置を示す横断面図である。
【図３】同じく躯体壁の外側から見た一部切欠正面図である。
【図４】同じく縦断面図である。
【図５】同じく外断熱構造としたときの横断面図である。
【図６】同じく縦断面図である。
【図７】同じく浸透性パネルの他例を示し、その（Ａ）は要部正面図、（Ｂ）は要部拡大断面図である。
【符号の説明】
【００４１】
Ｗ…躯体壁                              Ｂ…基礎
１…支柱材                              ２…内支保材
３…外支保材                            ４…ラチス材
５…外壁パネル                          ６…連結部
７…外壁パネル                          ７Ａ…壁材
７Ｂ…断熱材                            ８…締結部材
８Ａ…アンカーボルト
９Ａ…水平筋材                          ９Ｂ…鉛直筋材
９Ｃ…接続筋材
１０…浸透性パネル                      １１…補強部
１２…締結部材                          １５…浸透性パネル
１６…透水孔
２０…接続板
３０…型枠接続部材
【図１】
2005290711.tif 000003
【図２】
2005290711.tif 000004
【図３】
2005290711.tif 000005
【図４】
2005290711.tif 000006
【図５】
2005290711.tif 000007
【図６】
2005290711.tif 000008
【図７】
2005290711.tif 000009